(57)【要約】【課題】解読が難しく、多種類の文字列の生成、再現が容易で、選択した要素とその順番を記憶したり記録したりすることも容易である文字付の図表を提供する。【解決手段】多種類の文字列を作成するために十分な数の枠３を用意し、その枠に乱数的に文字を記入する。そして、文字列を作成する人が普段別の用途で使用している操作パネルや図表など、自分自身が名称や形状、位置関係で表示面の位置を区別できる図形や図表を想定して、その図形や図表における名称や形状、位置関係で枠の位置を区別できるように枠３を配置して文字付の図表２を作成し、利用者が記憶しやすい任意のルールに従って枠を選択して乱数的文字列を生成、再現できるようにする。【選択図】図１
2016194888.tif 000002
【特許請求の範囲】
【請求項１】
一つの枠内に一つ以上の文字が表示され、その枠を同一の表示面に複数配置し、その枠を一つ以上選択して任意の文字列を作成するために使用する文字付の図表であって、前記文字列作成以外の用途で使用している別図表または別図形に表示されている枠や目印の位置関係に合わせて前記枠を配置することで、前記別図表または前記別図形における枠や目印の位置で前記枠の配置位置を指定できるようにしたことを特徴とする文字付の図表。
【請求項２】
請求項１記載の枠内の文字が０から９の数字のいずれかとＡからＺの英文字のいずれかを乱数的に組み合わせて作られた文字列であることを特徴とする文字付の図表。
【請求項３】
請求項１記載の枠を４行３列の行列で配置したことを特徴とする文字付の図表。
【請求項４】
請求項１記載の枠を３行３列の行列で配置したことを特徴とする文字付の図表。
【請求項５】
請求項１記載の枠を３行１０列の行列で配置したことを特徴とする文字付の図表。
【請求項６】
請求項１記載の枠を５行７列の行列で配置したことを特徴とする文字付の図表。
【請求項７】
１２の倍数の個数になるよう用意した請求項１記載の枠を円周上に等角度で配置したことを特徴とする文字付の図表。
【請求項８】
１２の約数の個数になるよう用意した請求項１記載の枠を円周上に等角度で配置したことを特徴とする文字付の図表。
【請求項９】
５５ｍｍ×９１ｍｍの範囲内に表示したことを特徴とする請求項１から請求項８に記載の文字付の図表。
【請求項１０】
５４ｍｍ×８６ｍｍの範囲に表示したことを特徴とする請求項１から請求項８に記載の文字付の図表。
【請求項１１】
１００ｍｍ×１４８ｍｍの範囲に表示したことを特徴とする請求項１から請求項８に記載の文字付の図表。
【請求項１２】
８８ｍｍ×１２５ｍｍの範囲に表示したことを特徴とする請求項１から請求項８に記載の文字付の図表。
【請求項１３】
５９ｍｍ×１０５ｍｍの範囲に表示したことを特徴とする請求項１から請求項８に記載の文字付の図表。
【請求項１４】
６９ｍｍ×１２１ｍｍの範囲に表示したことを特徴とする請求項１から請求項８に記載の文字付の図表。
【請求項１５】
５０ｍｍ×８９ｍｍの範囲に表示したことを特徴とする請求項１から請求項８に記載の文字付の図表。
【請求項１６】
６４ｍｍ×１１４ｍｍの範囲に表示したことを特徴とする請求項１から請求項８に記載の文字付の図表。
【発明の詳細な説明】
【技術分野】
【０００１】この発明は、複数の文字を組み合わせて、パスワードなどの新たな文字列を作成するために使用される文字付の図表に関する。
【背景技術】
【０００２】情報通信システムを利用する金融サービスやコミュニティサイトなどの会員制サービスなどにおいては、ＩＤとパスワードなどの利用者ごとに個別に割り当てられた文字列を使用している。特にパスワードについては、第三者による不正利用を抑えることを目的として、サービスの利用者自身しか知りえないよう、利用者自身が独自の文字列を考案して設定することが多い。【０００３】ところで、この文字列の設定において、設定した文字列を利用者自身が忘れることがあるため、生年月日、電話番号、住所などと関連付けた類推しやすい文字列を設定することがある。しかしながら、類推しやすい文字列では、利用者の個人情報が知られた場合に第三者による不正利用の可能性が高まる。【０００４】また、第三者が類推しにくく、自分が覚えやすい文字列を考案して設定することも行われているが、この方法で設定された文字列は忘れてしまう懸念があることや多種類考案することが難しいことから、単一または少数種類の文字列を流用することがある。しかしながら、単一または少数種類の文字列を流用した場合、あるサービスで利用している文字列が第三者に知られてしまうと、その第三者によってそのサービスを不正利用されてしまうだけではなく、他のサービスも不正利用されてしまう可能性が高まる。【０００５】また、第三者が類推しにくく、複数のサービスごとに別々の文字列を考案して設定することも行われているが、どのサービスでどの文字列を設定したのか忘れてしまう懸念があることから、忘れないよう手帳などに記録を残すことがある。しかしながら、手帳などに記録を残した場合、紛失、盗難によってその記録を第三者に知られてしまうと、その第三者によって複数のサービスを不正利用されてしまう可能性が高まる。【０００６】さらに、上記の文字列の運用において、定期的に文字列を変更することで第三者による不正利用の可能性を低減することができることから、文字列の定期的な変更がサービスの提供者から推奨されているが、文字列の変更を何度も行うためには新たな文字列を何度も考案する必要があり、新しい文字列を何種類も考案することはサービスの利用者にとっての負担となる。このため、文字列を定期的に変更せずに継続して使用し続けることにつながることがあり、長い間同じ文字列を使い続けることによって、第三者によって文字列が解読される可能性が高まり、その第三者によってサービスを不正利用される可能性が高まる。【０００７】また、定期的な文字列の変更にともなって、新たに設定した文字列をその都度改めて記憶することがサービスの利用者にとっての負担となっており、少数種類の文字列を使いまわしたり、文字列を忘れないように手帳などに記録したりすることにつながることがある。このため、長い間少数種類の文字列を使い回すことによって、第三者が文字列を解読する可能性が高まり、その第三者によってサービスを不正利用される可能性が高まる。また、手帳などに記録を残すことは、紛失、盗難によってその記録を第三者に知られてしまう可能性があり、その第三者によってサービスを不正利用される可能性が高まる。【０００８】そこで、特許文献１のような文字列を行列配置した乱数表を使って、第三者が解読しにくく、新しい文字列の設定が容易になる手段が提案されている。しかしながら、特許文献１で提案されている乱数表では、どの要素を選択して文字列を設定したのかを記憶したり記録したりするために、各要素の行数と列数の二つの情報、つまり二次元座標が必要になり、さらにその選択した順番も記憶したり記録したりする必要があることから、選択した要素の数の二倍になる情報量の情報を記憶したり記録したりすることにつながり、利用者にとって負担になっている。
【先行技術文献】
【特許文献】
【０００９】
【特許文献１】  特開２０１３−８２１２号公報
【発明の概要】
【発明が解決しようとする課題】
【００１０】この発明は、従来の課題を解決するために、解読が難しく、多種類の文字列の生成、再現が容易で、選択した要素とその順番を記憶したり記録したりすることも容易である文字付の図表を提供することを目的とする。
【課題を解決するための手段】
【００１１】この発明は、上述の目的を達成するために、以下のように文字付の図表を構成する。【００１２】多種類の文字列を作成するために十分な数の枠を用意し、その枠に乱数的に文字を記入する。そして、文字列を作成する人が普段別の用途で使用している操作パネルや図表など、自分自身が名称や形状、位置関係で表示面の位置を区別できる図形や図表を想定して、その図形や図表における名称や形状、位置関係で枠の位置を区別できるように枠を配置する。このとき、枠を配置する面には、想定した図形や図表を重ねて表示しても表示しなくても良い。
【発明の効果】
【００１３】位置を区別しやく配置された枠の内、任意の枠を選択することで、任意の乱数的文字列を作成することができる。利用者自身が操作手順を知っている操作パネルを想定して枠を配置している場合はその操作手順に基づいて枠を選択したり、利用者自身が思い入れ等がある図形や図柄を想定して枠を配置している場合は利用者自身が思入れのある場所を選択したりして、利用者自身が記憶しやすい位置の枠を選択できる。【００１４】この枠内の文字列は乱数的であるため、それらを組み合わせて作成された文字列も乱数的であり、第三者が文字列を直接類推することは難しい。この枠の選択方法が複数ある場合は、類推の難しい複数の文字列を容易に作成することができる。さらに、同じ枠の配置を持つ文字付の図表で、枠内の文字が異なる文字付の図表を用いることで、その文字付の図表を入れ替えるだけで、同じ位置の枠の選択から作成される文字列が変わるため、多種類の文字列の作成が容易になり、記憶する枠を変えずに容易に定期的な文字列の変更ができる。【００１５】このように、本発明により、容易に記憶したり記録したりできつつも、類推が難しく、多種類の乱数的文字列の生成、再現が容易にできるようになる。また、忘れないように残した記録を紛失、盗難しても、その記録と文字付の図表を別々に管理することで直接文字列を第三者に知られることが無い。さらに、文字付の図表を切り替えることで定期的なパスワード変更が容易にできる。
【図面の簡単な説明】
【００１６】
【図１】実施例１の文字付の図表の例である。
【図２】一般的な電話機のプッシュボタンの配列である。
【図３】実施例２の文字付の図表の例である。
【図４】一般的な電卓のボタン配列（１から９まで）である。
【図５】実施例３の文字付の図表の例である。
【図６】一般的なキーボードのＱＷＥＲＴＹ配列である。
【図７】実施例４の文字付の図表の例である。
【図８】一般的な月別カレンダーの配列である。
【図９】実施例５の文字付の図表の例である。
【図１０】一般的な時計の文字配列である。
【発明を実施するための形態】
【００１７】以下、この発明の文字付の図表の実施の形態について説明する。この発明の実施の形態は、発明の好ましい形態を示すものであり、この発明はこれに限定されない。
【実施例１】
【００１８】図１は、携帯電話等のプッシュボタンの配列で一般的な４行３列の二次元配列（図２）を想定した文字付の図表２を矩形の表示面１に表示している。この表示面１は液晶ディスプレイなどの画面でも、紙などで作成されたカードでも良い。カードの場合、カードの材質は紙に限らず、樹脂や金属など印刷、印字ができる材質であれば何でも良く、大きさは名刺と同程度の大きさ（５５ｍｍ×９１ｍｍ）やクレジットカード等と同程度の大きさ（５３．９８ｍｍ×８５．６０ｍｍ）にすると財布等のポケットに入れやすく、手軽に携帯できる。また、サイズはそれに限らず、例えばはがき（１００ｍｍ×１４８ｍｍ）やパスポート（８８ｍｍ×１２５ｍｍ）等と同程度の大きさにすると視認性が良く、携帯や保管も容易である。この４行３列の文字付の図表２を携帯電話等のプッシュボタンに見立てると各要素３を各ボタンに読み替えることができ、例えば図１の場合、「０１２０」という電話番号から引用した番号を利用することで「３ｗ６ｓ４ａ３ｗ」という乱数的文字列を生成、再現することができる。【００１９】利用者が既に記憶している電話番号を乱数的文字列の作成、再現に利用するのであれば改めて記録を残す必要が無い場合があるが、選択した枠とその順番を忘れないように手帳等に記録する場合は、各要素の位置を表す文字がそれぞれ１文字で良いため（先の「０１２０」の場合、「０」の枠、「１」の枠、「２」の枠、「０」の枠、と各枠を１文字ずつで区別できる）、従来の二次元座標を記録（先の「０１２０」の場合、４行２列目の枠、１行１列目の枠、１行２列目の枠、４行２列目の枠、を表すために例えば（（４，２）（１，１）（１，２）（４，２））と記録する必要がある）するよりも手軽に記録を残すことができる。【００２０】また、手帳等には選択した枠を表す番号（上記の例では「０１２０」）のみを記録し、文字付の図表と分けて保管することで、この記録または文字付の図表のいずれかを紛失、盗難に遭っても作成した乱数的文字列をすぐに再現することはできない。【００２１】また、乱数的文字列を作成、再現するための選択した枠の位置（番号）と順番は固定し、別の文字列が表示された文字付の図表を使うことで、同じ枠の選択から全く別の乱数的文字列を得ることができる。そのため、文字列の定期的な変更を容易に行うことができるようになり、使い回し等における第三者からのサービスの不正利用の可能性を低減することができる。【００２２】図１では数字１文字の後に英文字１文字を配置した合計２文字で各要素を構成しているが、数字と英文字の順番をランダムにしたり、２文字以外の文字数にしたりするなど、図１の文字数や順番以外のルールでも文字付の図表を作成できる。
【実施例２】
【００２３】図３は、電卓で一般的な数字の配列（図４）である１から９の数字を３行３列で配置した場合の文字付の図表の例である。使い方は前記の実施の形態と同じであり、１から９の数字の配列から乱数的文字列を生成、再現できる。
【実施例３】
【００２４】図５は、パソコン等のキーボード配列で一般的な英文字の配列であるＱＷＥＲＴＹ配列（図６）で配置した場合の文字付の図表の例である。使い方は前記の実施の形態と同じであるが、この形態では、数字の配列ではなく、ＡからＺまでの２４文字の英文字の配列から乱数配列を生成、再現する。例えば図５の文字付の図表の場合、「ＡＢＣＤ」という英文字の配列から「５ｕ７ｊ６ｒ２ｄ」という乱数的文字列を生成、再現できる。
【実施例４】
【００２５】図７は、月別カレンダーで一般的な配列（図８）である５行７列で配置した場合の文字付の図表の例である。図７では１日から３１日までの月で日曜日が左端に配置されるカレンダーを想定しているが、他に１日から２８日まで、１日から２９日まで、１日から３０日までの月を想定したり、１日に該当する枠の場所を日曜日以外の月曜日から土曜日までの曜日から始まる月を想定したり、左端の列を日曜日以外の曜日にしたカレンダーを想定したりすることもできる。使い方は前記の実施の形態と同じであるが、好きな日付など任意の日付に該当する枠を選択して乱数的文字列を生成、再現できる。
【実施例５】
【００２６】図９は、時計で一般的である１２個の枠（図１０）を使って配列した文字付の図表の例である。図９では枠が１２個であるが、枠の数を１２の倍数や約数の数にしても良い。使い方は前記の実施の形態と同じであるが、好きな時刻など任意の時刻に該当する枠を選択して乱数的文字列を生成、再現できる。
【産業上の利用可能性】
【００２７】本発明は、インターネットバンキングなどの金融サービスやコミュニティサイトなどの会員制サービスなどの運用時に懸念される、第三者による上記サービスの不正利用の可能性を低減することができる。
【符号の説明】
【００２８】１：文字付の図表の表示面
２：文字付の図表
３：文字付の図表の要素
【図１】
2016194888.tif 000003
【図２】
2016194888.tif 000004
【図３】
2016194888.tif 000005
【図４】
2016194888.tif 000006
【図５】
2016194888.tif 000007
【図６】
2016194888.tif 000008
【図７】
2016194888.tif 000009
【図８】
2016194888.tif 000010
【図９】
2016194888.tif 000011
【図１０】
2016194888.tif 000012